(57)【特許請求の範囲】
【請求項１】
複数本の水平木材を木材短片を介して上下方向に積み重ねた状態で該水平木材と木材短片とに上下方向のボルトを貫通させることにより上下の水平木材間に開口部を備えた前面板を形成し、該前面板の上縁における左右両端にはそれぞれ側部水平木材の前端を固定し、左右両側の側部水平木材の後端に後部水平木材を固定してなる長方形状枠体に網状体を略直方体状に固定したことを特徴とする木製枠体付き網籠。
【請求項２】
前記前面板の水平木材は丸太であることを特徴とする請求項１の木製枠体付き網籠。
【請求項３】
前記木材短片は水平方向の丸太における上下両縁に前記前面板の水平木材に適合する凹部を該丸太の長さ方向に形成してなり、該木材短片を水平木材と平行に配設したことを特徴とする請求項２の木製枠体付き網籠。
【請求項４】
前記木材短片は水平方向の丸太における上下両縁に前記前面板の水平木材に適合する凹部を該丸太の長さ方向と直角の方向に形成してなり、該木材短片を水平木材と直角に配設したことを特徴とする請求項２の木製枠体付き網籠。
【請求項５】
前記前面板の内側に植生マットを配設したことを特徴とする請求項１〜４のいずれかの木製枠体付き網籠。
【発明の詳細な説明】
【０００１】
【発明の属する技術分野】
本発明は木製枠体付き網籠に関するものであり、特に、砕石、岩砕屑、土砂、廃棄コンクリート、現地発生材等の中詰材を詰め込むようにした木製枠体付き網籠に係るものである。本発明の木製枠体付き網籠は、中詰材を詰め込んだ状態で、治山工事における山腹緑化植生土留工、道路の開設工事ないし改良工事における緑化植生法留工、護岸工事における植生緑化修景整備、公園緑地の周辺整備工事、その他の多段式籠工法等に使用される。
【０００２】
【従来の技術】
網籠としては鉄線を円筒状又は角籠状に編成してなる籠が従来より使用されている。
【０００３】
【発明が解決しようとする課題】
しかるに、上記従来の籠は自らの形状を維持し得ないため、籠に石等の中詰材を詰め込んだときには籠が変形する。従って、籠に石等の中詰材を詰め込む際には、籠の変形を防止するために該籠を固定枠等の固定手段により固定する必要がある。その結果、籠は施工性が低くなり、施工費用が嵩むという謗りを免れないものである。また、籠は植生、景観等の面でも好ましいものではない。
本発明は籠における上述の如き問題を解決しようとしてなされたものである。
【０００４】
【課題を解決するための手段】
上記課題を解決するために、本発明は下記の木製枠体付き網籠を提供するものである。
【０００５】
（１）複数本の水平木材を木材短片を介して上下方向に積み重ねた状態で該水平木材と木材短片とに上下方向のボルトを貫通させることにより上下の水平木材間に開口部を備えた前面板を形成し、該前面板の上縁における左右両端にはそれぞれ側部水平木材の前端を固定し、左右両側の側部水平木材の後端に後部水平木材を固定してなる長方形状枠体に網状体を略直方体状に固定したことを特徴とする木製枠体付き網籠（請求項１）。
【０００６】
（２）前記前面板の水平木材は丸太とする（請求項２）。
【０００７】
（３）前記木材短片は水平方向の丸太における上下両縁に前記前面板の水平木材に適合する凹部を該丸太の長さ方向に形成してなり、該木材短片を水平木材と平行に配設する（請求項３）。
【０００８】
（４）前記木材短片は水平方向の丸太における上下両縁に前記前面板の水平木材に適合する凹部を該丸太の長さ方向と直角の方向に形成してなり、該木材短片を水平木材と直角に配設する（請求項４）。
【０００９】
（５）前記前面板の内側に植生マットを配設する（請求項５）。
【００１０】
【作用】
［請求項１の木製枠体付き網籠］
請求項１の木製枠体付き網籠は網状体内に適宜砕石、岩砕屑、土砂、廃棄コンクリート、現地発生材等の中詰材を詰め込んだ状態で山の斜面、道路の法面、海岸、河岸、湖岸、公園周囲等に配設する。木製枠体付き網籠は横方向に相互に連結する。木製枠体付き網籠は図１２に示す如く段状に配設してもよい。中詰材の大きさ等に応じて適宜細目スクリーンを網状体の内側に配設する。前面板と左右両側の側部水平木材と後部水平木材とにより形成される長方形状枠体は中詰材の詰め込み時に網状体の形状を保持する。従って、中詰材の詰め込み作業は容易なものとなる。前面板は水平木材と木材短片とに上下方向のボルトを貫通させることにより形成されるものであるため、中詰材の詰め込み作業時における中詰材の衝突にも十分に耐え得るものである。木製枠体付き網籠は前面板を前面に露出させた状態で配設される。換言すれば、前面板を形成する複数本の水平木材と木材短片とが常時前面に露出した状態となる。また、前面板は上下の水平木材間に開口部を備えているため、透水性が確保されると共に植生の環境が保持される。
【００１１】
［請求項２の木製枠体付き網籠］
請求項２の木製枠体付き網籠における前面板の水平木材は丸太であるため、前面板は木棚状を呈し、景観の面でもこのましい。
【００１２】
［請求項３の木製枠体付き網籠］
請求項３の木製枠体付き網籠においては、木材短片の上下両縁に形成された凹部に上下の水平木材が嵌合した状態で水平木材と木材短片とに上下方向のボルトを貫通させているため、水平木材と木材短片とは相互に極めて強固に固定される。従って、前面板は十分な強度を有する。
【００１３】
［請求項４の木製枠体付き網籠］
請求項４の木製枠体付き網籠は上記請求項３の木製枠体付き網籠と同様の作用を有する。なお、請求項４の木製枠体付き網籠においては、木材短片は水平木材と直角に配設されるため、前面板における上下の水平木材間に大きな開口部が形成される。
【００１４】
［請求項５の木製枠体付き網籠］
請求項５の木製枠体付き網籠においては、前面板の内側に植生マットを配設している。この植生マットは土の流失を防止し、木製枠体付き網籠における植物の成育を容易ならしめる。
【００１５】
【発明の実施の形態】
次に、本発明の実施の形態を添付図面に従って説明する。
符号１に示すものは前面板である。前面板１は複数本の水平木材３、３・・・を木材短片５、５・・・を介して上下方向に積み重ねた状態で該水平木材３、３・・・と木材短片５、５・・・とに上下方向のボルト７を貫通させることにより上下の水平木材３、３・・・間に開口部９、９・・・を備えた状態に形成される。
【００１６】
前面板１の上縁における左右両端１ａ、１ｂにはそれぞれ側部水平木材１１、１３の前端１１ａ、１３ａを固定し、左右両側の側部水平木材１１、１３の後端１１ｂ、１３ｂに後部水平木材１５を固定することにより長方形状枠体１７を形成する。該長方形状枠体１７に金網等の網状体１９を略直方体状に固定する。符号２１に示すものは側部水平木材１１、１３の前端１１ａ、１３ａを前面板１の上縁における左右両端１ａ、１ｂに固定するボルト、符号２３に示すものは後部水平木材１５を側部水平木材１１、１３の後端１１ｂ、１３ｂに固定するボルトである。
【００１７】
前記前面板１の水平木材３、３・・・は好ましくは丸太とするが、角材であっても差し支えない。また、左右両側の側部水平木材１１、１３と後部水平木材１５も好ましくは丸太とするが、角材であっても差し支えない。前面板１の水平木材３、３・・・、左右両側の側部水平木材１１、１３及び後部水平木材１５はいずれも一例として杉等の小径木を使用することができる。
【００１８】
図１〜６に示す事例における木材短片５ａは水平方向の丸太における上下両縁に前記前面板１の水平木材３、３に適合する凹部２５、２５を該丸太の長さ方向に形成してなり、該木材短片５ａは水平木材３、３と平行に配設される。
【００１９】
図７〜１１に示す木材短片５ｂは水平方向の丸太における上下両縁に前記前面板１の水平木材３、３に適合する凹部２７、２７を該丸太の長さ方向と直角の方向に形成してなり、該木材短片５ｂは水平木材３、３と直角に配設される。
【００２０】
前記前面板１の内側に植生マット２９を配設する。植生マット２９は例えば織布、不織布、ヤシの繊維等よりなるものとする。
【００２１】
図１２は図１〜６に示す木製枠体付き網籠を複数段に積み重ねた事例を示すものである。図１２における符号３１は砕石、岩砕屑、廃棄コンクリート、現地発生材等の中詰材、符号３３は土、符号３５は植物である。
【００２２】
【発明の効果】
本発明は下記の如き優れた効果を発揮する。
【００２３】
［請求項１の木製枠体付き網籠］
（ａ）前面板と左右両側の側部水平木材と後部水平木材とにより形成される長方形状枠体は中詰材の詰め込み時に網状体の形状を保持する。従って、中詰材の詰め込み作業は容易なものとなり、施工費用を低減させることができる。
【００２４】
（ｂ）木製枠体付き網籠を施工したときには、前面板を形成する複数本の水平木材と木材短片とが常時前面に露出した状態となる。従って、景観上も極めて好ましいものとなる。
【００２５】
（ｃ）前面板は水平木材と木材短片とに上下方向のボルトを貫通させることにより形成されるものであるため、中詰材の詰め込み作業時における中詰材の衝突にも十分に耐え得るものである。
【００２６】
（ｄ）前面板は上下の水平木材間に開口部を備えているため、透水性が確保されると共に植生の環境が保持される。
【００２７】
（ｅ）網状体内に土を充填し、植物を成育させることにより自然景観を更に向上させることができる。
【００２８】
［請求項２の木製枠体付き網籠］
請求項２の木製枠体付き網籠における前面板の水平木材は丸太であるため、前面板は木棚状を呈し、景観の面でもこのましい。その他、請求項２の木製枠体付き網籠は前記請求項１の木製枠体付き網籠と同様の効果を発揮する。
【００２９】
［請求項３の木製枠体付き網籠］
請求項３の木製枠体付き網籠においては、木材短片の上下両縁に形成された凹部に上下の水平木材が嵌合した状態で水平木材と木材短片とに上下方向のボルトを貫通させているため、水平木材と木材短片とは相互に極めて強固に固定される。従って、前面板は十分な強度を有する。その他、請求項３の木製枠体付き網籠は前記請求項１ないし２の木製枠体付き網籠と同様の効果を発揮する。
【００３０】
［請求項４の木製枠体付き網籠］
請求項４の木製枠体付き網籠は上記請求項３の木製枠体付き網籠と同様の効果を発揮する。なお、請求項４の木製枠体付き網籠においては、木材短片は水平木材と直角に配設されるため、前面板における上下の水平木材間に大きな開口部が形成される。
【００３１】
［請求項５の木製枠体付き網籠］
請求項５の木製枠体付き網籠においては、前面板の内側に植生マットを配設している。この植生マットは土の流失を防止し、木製枠体付き網籠における植物の成育を容易ならしめる。
【図面の簡単な説明】
【図１】本発明による木製枠体付き網籠の一例を示す斜視図である。
【図２】同上木製枠体付き網籠における木材短片を示す斜視図である。
【図３】同上木製枠体付き網籠の正面図である。
【図４】同上木製枠体付き網籠の平面図である。
【図５】図３のＶ−Ｖ線における断面図である。
【図６】図３のＶＩ−ＶＩ線における断面図である。
【図７】本発明による木製枠体付き網籠の別の一例を示す斜視図である。
【図８】同上木製枠体付き網籠における木材短片を示す側面図である。
【図９】同上木製枠体付き網籠の正面図である。
【図１０】図９のＸ−Ｘ線における断面図である。
【図１１】図９のＸＩ−ＸＩ線における断面図である。
【図１２】図１〜６に示す木製枠体付き網籠の使用状態の一例を示す断面図である。
【符号の説明】
１  前面板
１ａ  端
１ｂ  端
３  水平木材
５  木材短片
５ａ  木材短片
５ｂ  木材短片
７  ボルト
９  開口部
１１  側部水平木材
１１ａ  前端
１１ｂ  後端
１３  側部水平木材
１３ａ  前端
１３ｂ  後端
１５  後部水平木材
１７  長方形状枠体
１９  網状体
２１  ボルト
２３  ボルト
２５  凹部
２７  凹部
２９  植生マット
３１  中詰材
３３  土
３５  植物
【図１】
0003934785.tif 000002
【図２】
0003934785.tif 000003
【図３】
0003934785.tif 000004
【図４】
0003934785.tif 000005
【図５】
0003934785.tif 000006
【図６】
0003934785.tif 000007
【図７】
0003934785.tif 000008
【図８】
0003934785.tif 000009
【図９】
0003934785.tif 000010
【図１０】
0003934785.tif 000011
【図１１】
0003934785.tif 000012
【図１２】
0003934785.tif 000013